(57)【要約】【課題】ドレンパン内への熱交換器の入り込み量を大きくしてドレンパン及び熱交換器の組み付け部分のサイズを小さくしつつ、ドレンパン内におけるドレン水の水位を低く保って空調動作時の性能低下や結露を生じさせないようにする。【解決手段】空気調和装置の熱交換器４０から滴下するドレン水Dwを貯留させるドレンパン４５であって、断熱材で形成されて熱交換器４０から滴下するドレン水Dwが貯留するドレン水貯留部４５１と、ドレンポンプ５０の吸入口５４に対向する位置となるドレン水貯留部４５１の底面４５０ｂに、吸入口５４を受け入れ可能に断熱材４６を切り欠いて形成された孔部４５３と、ドレン水貯留部４５１における孔部４５３に設けられ、孔部４５３の下部を塞ぐ防水シート４５２とを有する。【選択図】図３
2011231974.tif 000002
【特許請求の範囲】
【請求項１】
空気調和装置の熱交換器(40)から滴下するドレン水を貯留させるドレンパン(45)であって、
断熱材で形成され、前記熱交換器(40)から滴下するドレン水が貯留するドレン水貯留部(451)と、
ドレンポンプ(50)の吸入口に対向する位置となる前記ドレン水貯留部(451)の底面に、当該吸入口を受け入れ可能に前記断熱材を切り欠いて形成された孔部(453)と、
前記ドレン水貯留部(451)において少なくとも前記孔部(453)に設けられ、当該孔部(453)の下部を塞ぐ防水シート(452)と
を有するドレンパン(45)。
【請求項２】
請求項１に記載のドレンパン(45)と、
少なくともその一部に断熱材を有し、当該室内機(10)の本体ケーシングの底部を覆う化粧パネル(25)とを備え、
前記ドレン水貯留部(451)の底面の外面側であって、前記孔部(453)を塞ぐ前記防水シート(452)を覆う位置に設けられた前記化粧パネル(25)により当該位置における前記ドレンパン(45)の断熱性が担保された室内機(10)。
【請求項３】
ドレンポンプ(50)を更に備え、
前記防水シート(452)で塞がれてなる前記孔部(453)に前記ドレンポンプ(50)の吸入口が入り込む状態として当該ドレンポンプ(50)が配設され、
前記ドレンポンプ(50)の前記吸入口内に設けられたドレン水吸い上げ用のインペラ(53)の配設位置が、前記孔部(453)の下部に設けられた前記防水シート(452)から予め定められた距離となる位置とされている請求項２に記載の室内機(10)。
【請求項４】
前記ドレン水貯留部(451)の外面よりも更に外側に突出させた形状で前記孔部(453)を形成し、
当該突出した孔部(453)の下部を覆う前記防水シート(452)の外面を、前記化粧パネル(25)のパネル断熱材が覆う請求項２又は請求項３に記載の室内機(10)。
【発明の詳細な説明】
【技術分野】
【０００１】
本発明は、ドレンパン及び室内機に関し、特に、ドレンパンに設けられたドレン水貯留部の構造に関する。
【背景技術】
【０００２】
従来から、下記特許文献１に示されるように、空気調和装置には、その室内機等に、熱交換器で発生して滴下するドレン水を貯留するドレンパンが設けられている。このドレンパンは、熱交換器の下部を覆うように設けられている。このドレンパンに設けられたドレン水貯留部には、熱交換器から滴下したドレン水が一旦貯留し、当該ドレン水がドレンポンプにより吸い上げられて順次室内機外に排出されるようになっている。
【先行技術文献】
【特許文献】
【０００３】
【特許文献１】特開２００１−１２４３６４号公報
【発明の概要】
【発明が解決しようとする課題】
【０００４】
上記の室内機等は、熱交換器のドレンパンへの入り込み量を大きくすることで、ドレンパン及び熱交換器の組み付け部分のサイズを小さくできる。しかしながら、ドレンパン内に入り込んだ熱交換器に対して、ドレンポンプのドレン水吸込口の位置が高く配置されていると、ドレンパンに溜まるドレン水の水位が高くなるため、(1)冷房時には、このドレン水が熱交換器の下部に浸水して性能低下の原因となり、(2)また、暖房時に加湿器を使用している場合にドレンパンに加湿器から排出された水が溜まり、このときに空調動作停止時に熱交換器が暖かいと、ドレンパンに溜まっている水が蒸発して機内に結露が発生するという問題がある。
【０００５】
本発明は、上記の問題を解決するためになされたもので、ドレンパン内への熱交換器の入り込み量を大きくしてドレンパン及び熱交換器の組み付け部分のサイズを小さくしつつ、ドレンパン内におけるドレン水の水位を低く保って空調動作時の性能低下や結露を生じさせないことを目的とする。
【課題を解決するための手段】
【０００６】
本発明の請求項１に記載の発明は、空気調和装置の熱交換器(40)から滴下するドレン水を貯留させるドレンパン(45)であって、
断熱材で形成され、前記熱交換器(40)から滴下するドレン水が貯留するドレン水貯留部(451)と、
ドレンポンプ(50)の吸入口に対向する位置となる前記ドレン水貯留部(451)の底面に、当該吸入口を受け入れ可能に前記断熱材を切り欠いて形成された孔部(453)と、
前記ドレン水貯留部(451)において少なくとも前記孔部(453)に設けられ、当該孔部(453)の下部を塞ぐ防水シート(452)と
を有するドレンパン(45)である。
【０００７】
この発明によれば、ドレンポンプの吸入口に対向する位置となるドレン水貯留部(451)の底面に、当該吸入口を受け入れ可能に孔部が上記断熱材を切り欠いて形成され、更に、この孔部の下部が防水シートで塞がれているため、ドレンポンプの吸入口に対向する位置には防水シートのみが存在することになる。このため、上記孔部においては、ドレン水の水位を、防水シートから、当該孔部に受け入れられた状態のドレンポンプの吸入口あたりの高さに抑えることができる。これにより、ドレンポンプの吸入口の位置を、当該防水シートで下部が塞がれた上記孔部が存在しない従来構造よりも低く配置して、ドレンパン内におけるドレン水の水位を低く保てる。このため、ドレンパン内への熱交換器の入り込み量を大きくしてドレンパン及び熱交換器の組み付け部分のサイズを小さくした場合であっても、当該ドレンパン内に入り込んだ熱交換器に対して、ドレンパン内におけるドレン水の水位を低く保つことが可能になるので、冷房時にドレン水が熱交換器の下部に浸水することによる性能低下や、暖房時に加湿器を使用している場合にドレンパンに溜まっている水が蒸発して機内に結露が発生するという問題を生じさせない。
【０００８】
また、請求項２に記載の発明は、請求項１に記載のドレンパン(45)と、
少なくともその一部に断熱材を有し、当該室内機(10)の本体ケーシングの底部を覆う化粧パネル(25)とを備え、
前記ドレン水貯留部(451)の底面の外面側であって、前記孔部(453)を塞ぐ前記防水シート(452)を覆う位置に設けられた前記化粧パネル(25)により当該位置における前記ドレンパン(45)の断熱性が担保された室内機(10)である。
【０００９】
この発明では、ドレン水貯留部の底面の外面側であって、少なくとも上記孔部に設けられた防水シートを覆う位置に化粧パネルを設けて、ドレンパンの孔部の下部部分では担保されていない断熱性を化粧パネルの断熱材により担保するので、(1)上記防水シートによるドレン水を貯留させるための孔部の支持が当該化粧パネルにより補強されると共に、(2)当該孔部の下部部分の断熱性の担保と、孔部の深さを従来よりも深くする構造の実現との両立を、新たに別個の部材を追加することなく既存の化粧パネルにより達成できる。
【００１０】
また、請求項３に記載の発明は、請求項２に記載の室内機(10)であって、ドレンポンプ(50)を更に備え、
前記防水シート(452)で塞がれてなる前記孔部(453)に前記ドレンポンプ(50)の吸入口が入り込む状態として当該ドレンポンプ(50)が配設され、
前記ドレンポンプ(50)の前記吸入口内に設けられたドレン水吸い上げ用のインペラ(53)の配設位置が、前記孔部(453)の下部に設けられた前記防水シート(452)から予め定められた距離となる位置とされている。
【００１１】
この発明は、ドレンポンプの吸入口内に設けられたドレン水吸い上げ用のインペラの配設位置が、孔部の下部に設けられた前記防水シートから予め定められた距離となる位置とすることにより、ドレンポンプに対するドレンポンプの高さを当該距離からなる高さに抑える。
【００１２】
また、請求項４に記載の発明は、請求項２又は請求項３に記載の室内機(10)であって、前記ドレン水貯留部(451)の外面よりも更に外側に突出させた形状で前記孔部(453)を形成し、
当該突出した孔部(453)の下部を覆う前記防水シート(452)の外面を、前記化粧パネル(25)のパネル断熱材が覆うものである。
【００１３】
この発明によれば、孔部をドレン水貯留部の外面よりも更に外側に突出させた形状で形成するため、当該孔部を利用してドレンポンプをドレンパンに対して更に深く入り込ませることができる。また、当該孔部の突出部分の外面を化粧パネルのパネル断熱材が覆うため、当該孔部の突出部分及び防水シートによる支持を確実に補強することができる。
【発明の効果】
【００１４】
本発明によれば、ドレンパン内への熱交換器の入り込み量を大きくしてドレンパン及び熱交換器の組み付け部分のサイズを小さくしつつ、ドレンパン内におけるドレン水の水位を低く保って空調動作時の性能低下や結露を生じさせないことが可能になる。
【図面の簡単な説明】
【００１５】
【図１】本発明の第１実施形態に係る室内機及びドレンパンを上方から見た概略断面図である。
【図２】図１におけるＡ−Ａ断面での要部の概略断面図である。
【図３】図１におけるＢ−Ｂ断面を示す要部の概略断面図である。
【図４】図１におけるＢ−Ｂ断面を示す要部の概略断面図であり、本発明の第２実施形態に係る室内機及びドレンパンを示す図である。
【発明を実施するための形態】
【００１６】
以下、本発明の実施形態を図面に基づいて詳細に説明する。図１は、本発明の第１実施形態に係る室内機及びドレンパンを上方から見た概略断面図である。図２は図１におけるＡ−Ａ断面での要部の概略断面図である。図３は図１におけるＢ−Ｂ断面を示す要部の概略断面図である。但し、図３では、熱交換器４０の図示は省略している。
【００１７】
図１及び図２に示すように、第１実施形態に係る空気調和装置の室内機１０は、いわゆる天井埋込カセット型に構成されている。具体的に、上記室内機１０は、矩形容器状のケーシング２０に熱交換器４０、ファン３０、ドレンポンプ５０等を収納して構成されている。この室内機１０は、天井９０に開口する設置用開口９１に挿入されると共に、ケーシング２０の四隅の設置金具２４と係合する吊り金具（図外）によって上方より吊り下げ固定されている。
【００１８】
上記ケーシング２０は、本体ケーシング２１と、化粧パネル２５とによって構成されている。
【００１９】
上記本体ケーシング２１は、底面が開口する容器状に形成されている。具体的に、本体ケーシング２１は、正方形の四隅を切り欠いた形状に形成された天板２２と、該天板２２の外縁部から下方へ延びる側板２３とによって構成されている。この本体ケーシング２１の四隅には、設置金具２４が一つずつ設けられている。
【００２０】
上記本体ケーシング２１の内部には、発泡スチロール（発泡ポリスチレン）から成る断熱材４６が設けられている。この断熱材４６は、側板２３の内側面に沿って設けられると共に、天板２２の外縁部付近における内側面に沿っても設けられている。この断熱材４６は、熱交換器４０で冷却され又は加熱された空気が本体ケーシング２１に直接接触するのを防ぎ、熱侵入や放熱によるロスを低減するようにしている。
【００２１】
化粧パネル２５は、略正方形の板状に形成されている。この化粧パネル２５には、１つの吸込口２６と、４つの吹出口２７とが形成されている。吸込口２６は、化粧パネル２５の中央部に位置して正方形状に開口している。吹出口２７は、吸込口２６のすぐ外側に位置して長方形状に開口している。また、吹出口２７は、吸込口２６の各辺に沿って１つずつ形成されている。
【００２２】
ケーシング２０は、本体ケーシング２１に対し、本体ケーシング２１の底面を覆うように上記化粧パネル２５を取り付けて構成されている。このケーシング２０の内部には、吸込口２６から各吹出口２７へと連通する空気通路２９が形成されている。一方、吸込口２６には、その全面に亘ってエアフィルタ２８が設けられている。このエアフィルタ２８は、吸込口２６へ吸い込まれる室内空気からほこり等の浮遊物を除去する。
【００２３】
ファン３０は、シュラウド３１とハブ３２との間にブレード３３が保持されてなる、いわゆるターボファンに構成されている。ファン３０のハブ３２には、ファンモータ３４の駆動軸が挿入固定されている。このファン３０は、ファンモータ３４が本体ケーシング２１の天板２２に下面側から取り付けられることによって、本体ケーシング２１の内部における中央部に配置されている。そして、ファン３０は、ファンモータ３４によって回転駆動され、下方から吸引した空気を側方へ吹き出すように構成されている。
【００２４】
ファン３０の下方には、ベルマウス３５が設けられている。このベルマウス３５は、吸込口２６から空気通路２９に流入した室内空気をファン３０へと案内するものである。
【００２５】
熱交換器４０は、多数のプレート状のフィンに伝熱管が貫通して設けられるいわゆるクロスフィン熱交換器に構成されている。この熱交換器４０は、平面視矩形状の筒状に形成されており（図１参照）、上記ファン３０の周囲を囲うように設置されている。また、熱交換器４０は、液冷媒が流れる液配管４１及びガス冷媒が流れるガス配管４２を介して、図外の室外機と接続されている。この熱交換器４０は、室内熱交換器を構成すると共に、図外の圧縮機や室外熱交換器等と配管接続されて蒸気圧縮式冷凍サイクルを行う冷媒回路を構成している。
【００２６】
熱交換器４０の下方には、ドレンパン４５が設けられている（図２参照）。このドレンパン４５は、冷房時に熱交換器４０で生成したドレン水Dwを受けて貯留させる。また、ドレンパン４５は、室内機１０に設けられている図略の加湿器から排出された水を受けて貯留させる。
【００２７】
ドレンポンプ５０は、ドレンパン４５に溜まったドレン水Dwを室内機１０の外部へ排出するためのものである。このドレンポンプ５０は、ケーシング２０内における隅角部に設置されている（図１参照）。つまり、ドレンポンプ５０は、空気通路２９における熱交換器４０の下流側に設置されている。
【００２８】
図３に示すように、ドレンポンプ５０は、ポンプ本体５１と駆動モータ５６とを備えている。ポンプ本体５１は、中空円板状のハウジング５２にインペラ５３を収納して構成されている。ハウジング５２の中央部は下方に突出しており、その先端に吸入口５４が開口している。また、ハウジング５２には、側方に向かって突出する吐出ポート５５が形成されている。一方、インペラ５３には、駆動モータ５６の駆動軸が連結されている。つまり、駆動モータ５６は、その軸方向が上下方向となる姿勢で設置されている。この駆動モータ５６に通電するとインペラ５３が回転駆動され、ドレンパン４５に溜まったドレン水Dwが吸入口５４から吸い込まれて図略の吐出ポートから吐出される。
【００２９】
上記ポンプ本体５１の吐出ポートには、図略のドレンホースが接続されている。ドレンホースは、室内機１０のケーシング２０の外に延びる。ドレンポンプ５０の側部に設けられた吐出ポートから吐出されたドレン水Dwは、ドレンホースを通じてケーシング２０の外部へ排出される。
【００３０】
上記ドレンポンプ５０は、ドレンポンプ５０の上方の断熱材４６にインサートされたインサート金具６５に対し、取付部材である取付金具６０を介して固定されている。インサート金具６５及び取付金具６０は、例えば、鉄板を板金加工によって所定形状に形成したものである。このインサート金具６５は、ドレンポンプ５０の上方に位置する本体ケーシング２１に設けられた断熱材を成形する際に該断熱材に埋め込まれている。ドレンポンプ５０の駆動モータ５６と一体に形成された取付金具６０は、インサート金具６５に対し、ビス等によって直接に締結されている。
【００３１】
運転動作−室内機１０の空調運転動作について説明する。
【００３２】
ファンモータ３４によってファン３０を回転駆動すると、室内空気が吸込口２６からケーシング２０内に吸い込まれて空気通路２９を流れる。ケーシング２０内に吸い込まれた室内空気は、エアフィルタ２８において該室内空気中のほこり等の浮遊物を除去される。その後、室内空気は、ベルマウス３５を通ってファン３０の内部へ流入し、ファン３０の側方へと吹き出される。ファン３０から吹き出された室内空気は、熱交換器４０へと流れる。
【００３３】
熱交換器４０には、冷媒回路の冷媒が流通している。この熱交換器４０では、室内空気と冷媒回路の冷媒とが熱交換を行う。つまり、冷房運転時には、熱交換器４０において冷媒が室内空気から吸熱して蒸発し、室内空気が冷却されて低温の調和空気が生成する。一方、暖房運転時には、熱交換器４０において冷媒が室内空気に対して放熱して凝縮し、室内空気が加熱されて高温の調和空気が生成する。熱交換器４０において生成した調和空気は、空気通路２９を通って吹出口２７から室内へと吹き出される。
【００３４】
冷房運転時には、熱交換器４０において室内空気を冷却するが、その際、室内空気に含まれる水分が凝縮してドレン水Dwが生じる。このドレン水Dwは、熱交換器４０の下方に配置されたドレンパン４５に溜まってゆく。ドレンパン４５に溜まったドレン水Dwは、ドレンポンプ５０によって排出される。つまり、ドレン水Dwは、ドレンポンプ５０によって吸引され、ドレンホース７０を通じて外部に排出される。
【００３５】
次に、上記図３を参照してドレンパン４５の構造を説明する。
【００３６】
ドレンパン４５は、例えば、発泡樹脂材料により形成されてなり、図３に示すように、その断面形状が凹型形状に形成されている。ドレンパン４５に設けられている当該凹型形状部分が、熱交換器４０から滴下するドレン水を貯留するドレン水貯留部４５１となる。当該発泡樹脂材製のドレンパン４５は、ドレン水貯留部４５１の内壁４５０における発泡粒子間の境目や隙間での浸水による水漏れを防止するために、内壁４５０における内側壁面４５０ａ及び底面４５０ｂには、防水シート４５２が貼着されている。この防水シート４５２は、防水用のスチロール樹脂やＡＢＳ樹脂等のシートからなる。或いは、酢酸ビニル樹脂等のコーティング材を塗布することにより当該防水シート４５２が形成されてもよい。但し、防水シート４５２の素材をこれらに限定する趣旨ではない。
【００３７】
なお、上記熱交換器４０は、図１に示すように、ドレンパン４５内に入り込ませて配置されている。すなわち、熱交換器４０の下部には、ドレンパン４５がその周囲を覆うように設けられている。
【００３８】
ドレン水貯留部４５１の底面４５０ｂであって、ドレンポンプ５０の吸入口５４に対向する位置には、吸入口５４を受け入れ可能となるように、底面４５０ｂをなす断熱材４６を切り欠いて孔部４５３が形成されている。
【００３９】
孔部４５３は、例えば、図３に示すように、側壁４５３ａ及び傾斜面４５３ｂを有してなり、ドレンポンプ５０の吸入口５４よりも大きな開口を有する。この孔部４５３は、ドレンパン４５の底部において、ドレン水貯留部４５１の底面４５０ｂ（底面４５０ｂ１，４５０ｂ２）を貫通している。また、孔部４５３の底面４５０ｂ１は、上記傾斜面４５３ｂ１の上部終端に繋がっている。孔部４５３の傾斜面４５３ｂ２の上部終端には、底面４５０ｂに繋がる側壁４５３ａが設けられている。底面４５０ｂ１は、底面４５０ｂ２よりも、ドレン水貯留部４５１の底面４５１ｂの外面（ドレンパン４５の底面の外面）からの高さが低く形成されている。
【００４０】
当該孔部４５３の下部は、上記防水シート４５２により塞がれ、孔部４５３にドレン水Dwの貯留が可能とされている。防水シート４５２は、その厚みが、孔部４５３におけるドレン水Dwの貯留を可能にするに足りる厚みを有している。防水シート４５２の厚みは、例えば1.0〜2.0mmである。本実施形態では、孔部４５３下部の当該防水シート４５２は、ドレン水貯留部４５１の底面４５１ｂの外面（ドレンパン４５の底面の外面）と面一状に形成されている。
【００４１】
なお、本実施形態では、防水シート４５２は、ドレン水貯留部４５１の内壁４５０における内側壁面４５０ａ及び底面４５０ｂに設けられ、孔部４５３の側壁４５３ａ、傾斜面４５３ｂ１、４５３ｂ２及び孔部４５３の下部４５３ｄにも設けられているが、防水シート４５２は、ドレンパン４５の内壁４５０を、その防水性が十分に確保され、ドレン水Dwの浸水が内容に形成可能な場合は、少なくとも上記孔部４５３の下部に設けられていればよい。
【００４２】
また、ドレン水貯留部４５１の底面４５１ｂの外面（ドレンパン４５の底面の外面）には、化粧パネル２５をなす断熱材２５１が取り付けられている。即ち、孔部４５３の下部を塞いでいる防水シート４５２は、図３におけるドレンパン４５の下面においてドレンパン４５の外側から断熱材２５１により覆われている。これにより、当該孔部４５３の下部４５３ｄ部分では断熱材４６によっては担保されていない断熱性を、化粧パネル２５の断熱材２５１により担保する。
【００４３】
但し、孔部４５３の下部を塞いでいる防水シート４５２は、上記のように化粧パネル２５の一部をなす断熱材２５１により覆われる構造には限定されない。例えば、孔部４５３の下部を塞いでいる防水シート４５２が、ドレンパン４５の下面においてドレンパン４５の外側から、化粧パネル本体とは別体とされた断熱性を有するピース（部材）により覆われ、当該ピースと化粧パネル本体により化粧パネル２５が構成されるものであってもよい。
【００４４】
また、ドレンポンプ５０は、吸入口５４が上記孔部４５３に入り込むようにして配設されている。吸入口５４は、内部に設けられているインペラ５３の下端部の配設位置（孔部４５３に貯留しているドレン水Dwを吸込可能な位置）が、孔部４５３の下部４５３ｄの防水シート４５２から予め定められた距離とされている。当該予め定められた距離とは、孔部４５３に貯留するドレン水Dwをドレンポンプ５０が吸入口５４から吸込可能となる孔部４５３の下部４５３ｄの防水シート４５２からの最短距離である。ドレンポンプ５０のインペラ５３の下端部は、図３に示すように、ドレンパン４５内のドレン水Dwの安定水位よりも下である。
【００４５】
さらに、図１に示すように、ドレンパン４５は、室内機１０を上方から視認した場合における吹出口２７の側方に隣接させて設けられている。そして、ドレンパン４５の下方に位置する化粧パネル２５部分には少なくとも断熱材２５１を用い、当該断熱材２５１を、孔部４５３の下部を塞いでいる防水シート４５２に対応する位置を含んで、図３におけるドレンパン４５の下面においてドレンパン４５の外側から取り付ける。
【００４６】
上記実施形態に係るドレンパン４５又は室内機１０によれば、ドレンポンプ５０の吸入口の位置を、当該防水シート４５２で下部が塞がれた孔部４５３の存在しない従来のドレンパン構造よりも低く配置して、ドレンパン４５内におけるドレン水Dwの水位を低く保つことができる。このため、ドレンパン４５内への熱交換器４０の入り込み量を大きくしてドレンパン４５及び熱交換器４０の組み付け部分のサイズを小さくしても、当該ドレンパン４５内に入り込んだ熱交換器４０の下部に対して、ドレンパン４５内におけるドレン水Dwの水位を低く保つことが可能になる。これにより、ドレンパン４５及び熱交換器４０の組み付け部分のサイズを小さくして室内機１０の例えば図２における高さ寸法を小さくできるという効果を得つつも、冷房時にドレン水Dwが熱交換器４０の下部に浸水することによる性能低下や、暖房時に加湿器を使用している場合にドレンパン４５に溜まっている水が蒸発して機内に結露が発生するという問題を生じさせないようにできる。
【００４７】
次に、ドレンパン４５の第２実施形態を説明する。図４は図１におけるＢ−Ｂ断面を示す要部の概略断面図であり、本発明の第２実施形態に係る室内機及びドレンパンを示す図である。なお、特に説明しない限り、第２実施形態に係るドレンパン４５は第１実施形態と同様である。図４でも、熱交換器４０の図示は省略している。
【００４８】
第２実施形態は、ドレン水貯留部４５１の底面４５０ｂの孔部４５３部分が、ドレンパン４５の下面４５５の外面よりも更に外方（図４では下方）に突出されて形成されている。このように突出した孔部４５３の下部４５３ｄは、防水シート４５２が設けられて塞がれている。すなわち、この孔部４５３は、底面４５０ｂ１及び４５０ｂ２から下部４５３ｄまでの防水シート４５２の深さが更に深くなるように形成されている。
【００４９】
そして、第２実施形態では、ドレンポンプ５０は、その吸入口５４が、当該深さに形成された孔部４５３に対して、更に入り込み量を大きくして配設されている。
【００５０】
この第２実施形態においても、ドレンポンプ５０は、吸入口５４のインペラ５３の配設位置が孔部４５３の下部４５３ｄの防水シート４５２から上記予め定められた距離となる高さ位置に配設される。
【００５１】
また、図４に示すように、孔部４５３下部の防水シート４５２の外面側は、化粧パネル２５の断熱材２５１により覆われるようにすることが好ましい。この場合、断熱材２５１は、孔部４５３の突出形状に合わせた形状に形成される。すなわち、ドレンポンプ５０の下面が突出されているその形状に沿わせて、化粧パネル２５の断熱材２５１が貼り付けられる。この断熱材２５１は、孔部４５３の下部４５３ｄ部分の断熱性と強度を担保する。
【００５２】
この第２実施形態によれば、ドレンパン４５に対してドレンポンプ５０を更に入り込ませることができ、図４においてドレン水貯留部４５１内において更に下方に下げて配設できるので、ドレン水貯留部４５１内の孔部４５３におけるドレン水Dwの安定水位を更に低く保てる。ドレンパン４５に対する熱交換器４０の入り込み量を更に大きくして、ドレンパン４５及び熱交換器４０の組合せからなる構造物のサイズを低減できる。
【００５３】
なお、本発明は上記実施の形態の構成に限られず種々の変形が可能である。例えば、上記各実施形態では、ドレンパン４５は室内機１０に設けられる場合を例にして説明しているが、当該ドレンパン４５は空気調和装置の室外機に設けられるものであってもよい。
【００５４】
また、上記図１乃至図４に示した構成は、本発明の実施形態の例示に過ぎず、本発明を上記実施形態に限定する趣旨ではない。
【符号の説明】
【００５５】
１０          室内機
２０          ケーシング
２１          本体ケーシング
２５          化粧パネル
２５１        断熱材
２６          吸込口
２７          吹出口
４０          熱交換器
４５          ドレンパン
４５０ｂ      底面
４５０ｂ１，４５０ｂ２  底面
４５０ａ      内側壁面
４５０        内壁
４５１        ドレン水貯留部
４５２        防水シート
４５３ｄ      下部
４５３        孔部
４６          断熱材
５０          ドレンポンプ
５３          インペラ
５４          吸入口
Dw            ドレン水
【図１】
2011231974.tif 000003
【図２】
2011231974.tif 000004
【図３】
2011231974.tif 000005
【図４】
2011231974.tif 000006